(57)【要約】【課題】室内の汚れのパターンをより正確に予測して、自動的に運転パターンを形成し、生活パターンに合わせた運転をおこなうことのできる空気清浄機を提供することを目的とする。【解決手段】本体１内に備えたガス検出部５や粉塵検出部７と、室内の人を検出する人検出部６により、ガス検出部５や粉塵検出部７から検出した汚れレベルにより決定される運転風量を人検出部６の検出レベルによりさらに制御して、生活パターンに合わせた無駄な運転をせず効率良く運転できる空気清浄機を得られる。【選択図】図１
2007130517.tif 000002
【特許請求の範囲】
【請求項１】
本体に設けた吸気口と、前記吸気口から吸気した汚れ空気を清浄化する清浄化手段と、前記清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値から決定される翌日の前記送風手段の風量を当日の前記人検出手段からの検出信号に応じて増減して前記送風手段の風量を時系列的に制御するようにした空気清浄機。
【請求項２】
本体に設けた吸気口と、前記吸気口から吸気した汚れ空気を清浄化する清浄化手段と、前記清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値から決定される翌日の前記送風手段の風量を当日の前記人検出手段からの検出信号と、前記汚れ検出手段からの検出信号に応じて増減して前記送風手段の風量を時系列的に制御するようにした空気清浄機。
【請求項３】
本体に設けた吸気口と、この吸気口から吸気した汚れ空気を清浄化する清浄化手段と、この清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値に当日の前記人検出手段からの検出信号を演算して翌日の前記送風手段の風量を時系列的に制御するようにした空気清浄機。
【請求項４】
制御部は人検出手段からの信号が規定レベルを下回った時点から、記憶した規定時間分の汚れレベル値により決定される送風手段の運転風量を所定時間増加させ、かつ所定時間運転後は停止してなる請求項１または２記載の空気清浄機。
【請求項５】
制御部は人検出手段からの検出信号を変換して時系列に規定時間のデータとして記憶し、前記汚れ検出手段からの信号により時系列的に規定時間分記憶されたデータを基にして決定された運転風量の運転開始時間を、前記人検出記憶データの検出時間より早めるようにした請求項１〜３のいずれかに記載の空気清浄機。
【請求項６】
制御部は人検出手段からの検出信号を高低のレベルをつけて時系列に規定時間のデータとして記憶し、前記汚れ検出手段からの信号により時系列的に規定時間分記憶されたデータを基にして決定された運転風量に対して、前記人検出記憶データのレベルにより風量を
増減するようにした請求項１〜３のいずれかに記載の空気清浄機。
【請求項７】
制御部は人検出手段からの検出信号を高低のレベルをつけて時系列に規定時間のデータとして記憶し、前記汚れ検出手段からの信号により時系列的に規定時間分記憶されたデータとも最大レベルにあり、現在の人検出信号および汚れ検出信号も最大の場合は、最大風量にて運転するようにした請求項１〜３のいずれかに記載の空気清浄機。
【請求項８】
制御部は人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は汚れ検出手段から決定される運転風量を低下させるようにした請求項１〜３のいずれかに記載の空気清浄機。
【請求項９】
制御部は人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部より記憶された汚れレベルによる運転指示があっても運転を停止するようにした請求項１〜３のいずれかに記載の空気清浄機。
【請求項１０】
制御部は人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部での検出感度を低下させるようにした請求項１〜３のいずれかに記載の空気清浄機。
【請求項１１】
制御部は人検出手段からの検出信号を高低のレベルをつけて時系列に規定時間のデータとして記憶し、その記憶レベルに応じて規定時間を変更するようにした請求項１〜３のいずれかに記載の空気清浄機。
【請求項１２】
規定時間を２４時間としたことを特徴とする請求項１１記載の空気清浄機。
【請求項１３】
規定時間を１週間としたことを特徴とする請求項１１記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、清浄化手段を通して清浄化する空気清浄機に関するものである。
【背景技術】
【０００２】
従来、この種の空気清浄機は下記に記載されたものが知られている。以下その空気清浄機について図１２、図１３および図１４を用いて説明する。図１２は「従来の空気清浄機の一部破断の外観斜視図」を示し、図１３は「空気清浄機の間欠運転のタイミングチャート」を示し、図１４は「各検出部の汚れレベル値に対する運転風量の相関図」を示す図であり、図１３（イ）は「記憶される汚れレベル値」を示し、図１３（ロ）は「次の日の予測間欠運転」を示し、図１４は「ガス検出部および粉塵検出部の汚れレベル値に対する運転風量」を示している。
【０００３】
図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７を設け、本体１０１の前面に空気の汚れを検出するガスセンサー１０８を設けている。
【０００４】
上記構成において、粉塵センサー１０７またはガスセンサー１０８が汚れを検出したとき、制御部１０６は粉塵センサー１０７またはガスセンサー１０８からの信号の大小によりファンモーター１０５の回転数を変えて通風量を変化させ、室内の汚れに対応した清浄化運転を行なうと同時に時系列的に汚れレベルを記憶して翌日にはその記憶された汚れレベルによる予測運転をおこない室内を清浄化するものである（例えば、特許文献１参照）。
【特許文献１】特開２００５−９８２３号公報
【発明の開示】
【発明が解決しようとする課題】
【０００５】
このような従来の空気清浄機では、予測された運転をおこなうため、実際に汚れの発生しない状況であっても運転してしまい無駄な運転をするという課題があり、人がいないような場合は運転風量を抑えて無駄の少ない運転することが要求されている。
【０００６】
また、人がいない場合は空気汚れが発生しても低速風量で運転するため、汚れ除去に時間がかかってしまうという課題があり、空気汚れが発生した場合は即座に大風量で汚れを除去することが要求されている。
【０００７】
また、空気汚れ検出による予測された運転であっても人の有無によって発生する汚れレベルに差が生じてしまい正確な予測運転ができないという課題があり、人の有無による空気汚れも予測して運転することが要求されている。
【０００８】
また、予測運転中は空気汚れの発生量が少ない場合でも規定時間運転するので、無駄な運転をするという課題があり、人の活動量を検出して効率良く運転することが要求されている。
【０００９】
また、翌日の予測運転は本日の汚れ検出に対応させて運転させているが、汚れ発生のタイミングも日によってばらつきがあり正確に予測できないという課題があり、汚れ発生のタイミングを事前に予測して運転することが要求されている。
【００１０】
また、翌日の予測運転は本日の汚れ検出に対応させて運転させているが、人の活動量によっても汚れ発生量が左右されるため正確に予測できないという課題があり、人の活動量も予測して運転することが要求されている。
【００１１】
本発明は、このような従来の課題を解決するものであり、室内の空気汚れ検出だけでの運転にたよらず人の活動量もとらえて予測運転し、また、人の活動の少ない生活シーンにおいてはクリーン環境を維持する運転よりも騒音を抑える運転とし、また人の活動量の多いときなどは大風量にて運転して一気に集塵してしまう空気清浄機を提供することを目的としている。
【課題を解決するための手段】
【００１２】
本発明の空気清浄機は上記目的を達成するために、本体に設けた吸気口と、前記吸気口から吸気した汚れ空気を清浄化する清浄化手段と、前記清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値から決定される翌日の前記送風手段の風量を当日の前記人検出手段からの検出信号に応じて増減して前記送風手段の風量を時系列的に制御するようにしたものである。
【００１３】
この手段により予測によって決められた運転風量を人の活動量によって補正することで当日の環境に合った運転をおこなえる空気清浄機が得られる。
【００１４】
また、本発明の空気清浄機は上記目的を達成するために、本体に設けた吸気口と、前記吸気口から吸気した汚れ空気を清浄化する清浄化手段と、前記清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値から決定される翌日の前記送風手段の風量を当日の前記人検出手段からの検出信号と、前記汚れ検出手段からの検出信号に応じて増減して前記送風手段の風量を時系列的に制御するようにしたものである。
【００１５】
この手段により予測によって決められた運転風量を人の活動量と当日の汚れによって補正することで当日の環境に合った運転をおこなえる空気清浄機が得られる。
【００１６】
また、本発明の空気清浄機は上記目的を達成するために、本体に設けた吸気口と、この吸気口から吸気した汚れ空気を清浄化する清浄化手段と、この清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値に当日の前記人検出手段からの検出信号を演算して翌日の前記送風手段の風量を時系列的に制御するようにしたものである。
【００１７】
この手段により予測によって決められた運転風量を人の活動量と当日の汚れによって補正しながら日々更新して当日の環境に合った運転をおこなえる空気清浄機が得られる。
【００１８】
また、本発明の空気清浄機は上記目的を達成するために、制御部は人検出手段からの信号が規定レベルを下回った時点から、記憶した規定時間分の汚れレベル値により決定される送風手段の運転風量を所定時間増加させ、かつ所定時間運転後は停止するようにしたものである。
【００１９】
この手段により予測によって決められた運転風量を人の活動量によって補正することで当日の環境に合った運転をおこなえる空気清浄機が得られる。
【００２０】
また、本発明の空気清浄機は上記目的を達成するために、制御部は人検出手段からの検出信号を変換して時系列に規定時間のデータとして記憶し、前記汚れ検出手段からの信号により時系列的に規定時間分記憶されたデータを基にして決定された運転風量の運転開始時間を、前記人検出記憶データの検出時間より早めるようにしたものである。
【００２１】
この手段により予測によって決められた運転風量を的確なタイミングで運転開始できる空気清浄機が得られる。
【００２２】
また、本発明の空気清浄機は上記目的を達成するために、制御部は人検出手段からの検出信号を高低のレベルをつけて時系列に規定時間のデータとして記憶し、前記汚れ検出手段からの信号により時系列的に規定時間分記憶されたデータを基にして決定された運転風量に対して、前記人検出記憶データのレベルにより風量を増減するようにしたものである。
【００２３】
この手段により予測によって決められた運転風量を人の活動量によって補正することで当日の環境に合った運転をおこなえる空気清浄機が得られる。
【００２４】
また、本発明の空気清浄機は上記目的を達成するために、制御部は人検出手段からの検出信号を高低のレベルをつけて時系列に規定時間のデータとして記憶し、前記汚れ検出手段からの信号により時系列的に規定時間分記憶されたデータとも最大レベルにあり、現在の人検出信号および汚れ検出信号も最大の場合は、最大風量にて運転するようにしたものである。
【００２５】
この手段により予測によって決められた運転風量を人の活動量によって補正することで当日の環境に合った運転をおこなえる空気清浄機が得られる。
【００２６】
また、本発明の空気清浄機は上記目的を達成するために、制御部は人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は汚れ検出手段から決定される運転風量を低下させるようにしたものである。
【００２７】
この手段により就寝中や外出のような人の活動が無い場合には静かに運転して汚れを除去することができる空気清浄機が得られる。
【００２８】
また、本発明の空気清浄機は上記目的を達成するために、制御部は人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部より記憶された汚れレベルによる運転指示があっても運転を停止するようにしたものである。
【００２９】
この手段により就寝中や外出のような人の活動が無い場合には運転を停止して無駄な運転をおこなわない空気清浄機が得られる。
【００３０】
また、本発明の空気清浄機は上記目的を達成するために、制御部は人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部での検出感度を低下させるようにしたものである。
【００３１】
この手段により就寝中や外出のような人の活動が無い場合には静かに運転して汚れを除去することができる空気清浄機が得られる。
【００３２】
また、本発明の空気清浄機は上記目的を達成するために、制御部は人検出手段からの検出信号を高低のレベルをつけて時系列に規定時間のデータとして記憶し、その記憶レベルに応じて規定時間を変更するようにしたものである。
【００３３】
この手段により使用者の生活パターンに合わせた予測運転をすることができる空気清浄機が得られる。
【００３４】
また、本発明の空気清浄機は上記目的を達成するために、規定時間を２４時間としたものである。
【００３５】
この手段により使用者の生活パターンに合わせた予測運転をすることができる空気清浄機が得られる。
【００３６】
また、本発明の空気清浄機は上記目的を達成するために、規定時間を１週間としたものである。
【００３７】
この手段により使用者の生活パターンに合わせた予測運転をすることができる空気清浄機が得られる。
【発明の効果】
【００３８】
本発明は室内の空気汚れ検出だけでの運転にたよらず、人の活動量もとらえての予測運転ができ、省エネルギーで発生した汚れを効率的に除去、浄化できる運転ができ、また、人の活動の少ない生活シーンにおいてはクリーン環境を維持する運転よりも騒音を抑える運転とすることができ、また、人の活動量の多いときなどは大風量にて運転して一気に集塵してしまうことができ、生活シーンに適した運転ができるという効果のある空気清浄機を提供することができる。
【００３９】
本発明によれば汚れ検出手段からの信号を変換して汚れレベル値として時系列的に規定時間分記憶し、この記憶した汚れレベル値から決定される翌日の運転風量を当日の人検出手段によって人の有無を検出して人がいない場合は運転風量を下げて運転することで、汚れ発生源となる人がいない場合は汚れ発生量も少ないので、省エネルギーで無駄な運転をしないという効果のある空気清浄機を提供できる。
【００４０】
また人検出手段からの信号が未検出の場合でも汚れ検出手段から空気汚れを検出した場合は即座に運転風量を上げることで、汚れが発生した場合でも汚れを効率的に浄化、除去できるという効果のある空気清浄機を提供できる。
【００４１】
また、汚れ検出手段からの信号を変換して汚れレベル値として時系列的に規定時間分記憶し、この記憶した汚れレベル値と、当日の前記人検出手段からの検出信号を演算して翌日の運転風量を決めるので、生活シーンに適した運転ができるという効果のある空気清浄機を提供できる。
【００４２】
また、人検出手段からの信号が規定レベルを下回った時点から、記憶した規定時間分の汚れレベル値により決定される送風手段の運転風量を所定時間増加させ、かつ所定時間運転後は停止させるので、人が居ない間に大きい運転風量で短時間で清浄できるという効果
のある空気清浄機を提供できる。
【００４３】
また、人検出手段からの検出信号を変換して時系列に規定時間のデータとして記憶し、前記汚れ検出手段からの信号により時系列的に規定時間分記憶されたデータを基にして決定された運転風量の運転開始時間を人検出記憶データの検出時間より早めることで、より汚れ発生のタイミングを予測して運転できるという効果のある空気清浄機を提供できる。
【００４４】
また、人検出手段からの検出信号を高低のレベルをつけて時系列に規定時間のデータとして記憶し、汚れ検出手段からの信号により時系列的に規定時間分記憶されたデータを基にして決定された運転風量に対して、人検出記憶データのレベルにより風量を増減するようにしたので、汚れ発生量をより正確に予測して運転することができるという効果のある空気清浄機を提供できる。
【００４５】
また、人検出手段からの検出信号を高低のレベルをつけて時系列に規定時間のデータとして記憶し、前記汚れ検出手段からの信号により時系列的に規定時間分記憶されたデータとも最大レベルにあり、現在の人検出信号および汚れ検出信号も最大の場合は、最大風量にて運転するようにしたので、大風量で一機に清浄化できるという効果のある空気清浄機を提供できる。
【００４６】
また、人検出手段からの検出信号を高低のレベルをつけて時系列に規定時間のデータとして記憶し、その記憶レベルと当日の人検出手段により検出した検出信号レベルと演算して翌日の人検出レベルを予測し、人検出レベルがゼロとなる区間は汚れ検出手段から決定される運転風量を低下させるので、人の活動がない場合には運転風量を下げることで、余分な運転を抑制することができるという効果のある空気清浄機を提供できる。
【００４７】
また、人検出手段からの検出信号を高低のレベルをつけて時系列に規定時間のデータとして記憶し、その記憶レベルと当日の人検出手段により検出した検出信号レベルと演算して翌日の人検出レベルを予測し、人検出レベルがゼロとなる区間は、汚れ検出部より記憶された汚れレベルによる運転指示があっても運転を停止するようにしたので、人がいない時間帯は余分な運転を抑制することができるという効果のある空気清浄機を提供できる。
【００４８】
また、人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部での検出感度を低下させるようにしたので、少ない汚れが発生した場合でも運転せずに余分な運転を抑制することができるという効果のある空気清浄機を提供できる。
【００４９】
また、人検出手段からの検出信号を高低のレベルをつけて時系列に規定時間のデータとして記憶し、その記憶レベルに応じて規定時間を変更するようにしたので、人の活動量のパターンから使用者の生活パターンを予測して運転ができるという効果のある空気清浄機を提供できる。
【００５０】
また、規定時間を２４時間とすることで、毎日の生活パターンが同じような場合はもっとも効果的な空気清浄運転が可能になるという効果のある空気清浄機を提供できる。
【００５１】
また、規定時間を１週間とすることで、毎週の生活パターンが同じような場合はもっとも効果的な空気清浄運転が可能になるという効果のある空気清浄機を提供できる。
【発明を実施するための最良の形態】
【００５２】
本発明の請求項１記載の発明は、本体に設けた吸気口と、前記吸気口から吸気した汚れ空気を清浄化する清浄化手段と、前記清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値から決定される翌日の前記送風手段の風量を当日の前記人検出手段からの検出信号に応じて増減して前記送風手段の風量を時系列的に制御するようにしたものであり、人の存在の有無により人がいなければ汚れ量も少ないので低風量で運転し、人がいれば汚れ量も多いので大風量で運転するというように汚れ量に応じて汚れが浄化され、省エネルギーで効率的に空気の清浄化ができるという作用を有する。
【００５３】
また、本体に設けた吸気口と、前記吸気口から吸気した汚れ空気を清浄化する清浄化手段と、前記清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値から決定される翌日の前記送風手段の風量を当日の前記人検出手段からの検出信号と、前記汚れ検出手段からの検出信号に応じて増減して前記送風手段の風量を時系列的に制御するようにしたものであり、人の存在の有無により人がいなければ低風量で運転し、人がいれば大風量で運転するというように汚れ発生量を想定した運転をしながら検出した汚れ量に合わせた風量に変更して汚れを除去する運転ができるという作用を有する。
【００５４】
また、本体に設けた吸気口と、この吸気口から吸気した汚れ空気を清浄化する清浄化手段と、この清浄化手段に通風する送風手段と、空気中の汚れを検出する汚れ検出手段と、室内の人の活動を検出する人検出手段と、前記汚れ検出手段と前記人検出手段からの検出信号により前記送風手段の風量を制御する制御部を有し、前記制御部は前記汚れ検出手段からの信号を変換して汚れレベル値として時系列的に規定時間分記憶し、この記憶した汚れレベル値と、当日の前記人検出手段からの検出信号を演算して翌日の前記送風手段の風量を時系列的に制御するようにしたものであり、汚れ発生量が少ない場合でも人がいることを予測して運転するため常にきれいな環境を維持できるという作用を有する。
【００５５】
また、人検出手段からの信号が規定レベルを下回った時点から、記憶した規定時間分の汚れレベル値により決定される送風手段の運転風量を所定時間増加させ、かつ所定時間運転後は停止させるようにしたものであり、人がいなくなってからは大風量で短時間で空気汚れを除去して無駄な運転をしないという作用を有する。
【００５６】
また、人検出手段からの検出信号を変換して時系列に規定時間のデータとして記憶し、前記汚れ検出手段からの信号により時系列的に規定時間分記憶されたデータを基にして決定された運転風量の運転開始時間を、前記人検出記憶データの検出時間より早めるようにしたものであり、人が活動する前に運転して清浄状態を維持するという作用を有する。
【００５７】
また、人検出手段からの検出信号を高低のレベルをつけて時系列に規定時間のデータとして記憶し、前記汚れ検出手段からの信号により時系列的に規定時間分記憶されたデータを基にして決定された運転風量に対して、前記人検出記憶データのレベルにより風量を増減するようにしたものであり、人の活動量が減っている場合は運転風量を下げ、増えている場合は運転風量を上げて空気汚れを予測して運転するという作用を有する。
【００５８】
また、人検出手段からの検出信号を高低のレベルをつけて時系列に規定時間のデータとして記憶し、前記汚れ検出手段からの信号により時系列的に規定時間分記憶されたデータとも最大レベルにあり、現在の人検出信号および汚れ検出信号も最大の場合は、最大風量にて運転するようにしたものであり、空気汚れを最大風量で短時間で清浄するという作用を有する。
【００５９】
また、人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は汚れ検出手段から決定される運転風量を低下させるようにしたものであり、その時間帯の運転風量を下げて省エネルギーを図り、騒音発生を抑えるという作用を有する。
【００６０】
また、人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部より記憶された汚れレベルによる運転指示があっても運転を停止するようにしたものであり、その時間帯の運転を停止させることで省エネルギーを図り、騒音発生を抑えるという作用を有する。
【００６１】
また、人検出手段からの検出信号を高低のレベルをつけて時系列に規定時間のデータとして記憶し、その記憶レベルと当日の前記人検出手段により検出した検出信号レベルと演算して翌日の人検出レベルを予測し、前記人検出レベルがゼロとなる区間は、前記汚れ検出部での検出感度を低下させるようにしたものであり、その時間帯の運転頻度を下げることで省エネルギーを図り、騒音発生を抑えるという作用を有する。
【００６２】
また、人検出手段からの検出信号を高低のレベルをつけて時系列に規定時間のデータとして記憶し、その記憶レベルに応じて規定時間を変更するようにしたものであり、使用者の生活パターンに合わせた運転ができるという作用を有する。
【００６３】
また、規定時間を２４時間としたものであり、毎日の生活パターンが同じ場合には無駄な運転をせずに効率よく清浄できるという作用を有する。
【００６４】
また、規定時間を１週間としたものであり、毎週の生活パターンが同じ場合には無駄な運転をせずに効率よく清浄できるという作用を有する。
【００６５】
以下、本発明の実施の形態について図面を参照しながら説明する。
【００６６】
（実施の形態１）
図１〜図３に示すように、空気清浄機の本体１は、正面にフロントパネルを設けた略箱形に形成され、側面に吸気口２を形成している。本体１内には空気を清浄化するためフィルター３と、このフィルター３に通風するファンモーター４が備えられ、本体１側面に吹出口１０が設けられている。ファンモーター４の駆動により吸気口２から空気が吸い込まれ、フィルター３を通って清浄された後、吹出口１０から吹き出される。
【００６７】
本体１左上部には汚れ検出手段としてガスセンサ５ａを備えたガス検出部５と、人検出手段として人検出センサ６ａを備えた人検出部６が設けられ、本体１側面には汚れ検出手段として光学式の粉塵センサ７ａを備えた粉塵検出部７が設けられている。
【００６８】
また本体１の正面上部には操作部９が設けられ、操作部９の内側に制御部８が収納され、制御部８に演算部１２を設けている。本体１の正面左端部に室内空気の汚れ状態を色変化で表す汚れ表示部１１を備えている。
【００６９】
上記構成において、電源が通電されると制御部８は２０分間隔でガス検出部５または粉塵検出部７で検出した出力信号を０〜５の汚れレベル値に変換し、各２０分間の汚れレベル値の最大値を記憶し始め、規定時間としてトータル２４時間分の７２個のデータを時系列に記憶する。
【００７０】
まず、初回運転を開始するために操作部８を自動運転に設定すると、基本動作としてファンモーター４を１０分間運転し、５０分間停止するサイクルを繰り返す。ガス検出部５または粉塵検出部７により空気汚れを検出すると、汚れ表示部１１が青色から赤色に変化し汚れレベルに応じた風量で運転を開始する。このときガス検出部５または粉塵検出部７の検出する汚れレベルに対するファンモーター４の送風量は図２（イ）の「ガス検出部および粉塵検出部の汚れレベル値に対する運転風量」に示す関係としている。
【００７１】
空気汚れが清浄化され汚れレベルが０になるとファンモーター４が停止するが、５０分間の停止状態が継続していると判断した場合に、制御部８は１０分間の運転と５０分間の停止サイクルを繰り返す間欠運転に再び移行する。
【００７２】
以上のような運転を行なう間に制御部８はガス検出部５または粉塵検出部７で検出した信号を０〜５の６段階の汚れレベル値に変換し、この汚れレベル値を２０分間隔の時系列データとして翌日の予測運転のために記憶する。なお、このときの個々の汚れレベル値は各２０分間の最高値を記憶するようにしているが、各２０分間の平均値としてもよい。
【００７３】
次の日（汚れデータ値の記憶開始から２４時間後）は、記憶された汚れレベル値に対応する風量に対して人検出部６からの検出信号による判断を加えた風量にて１０分ＯＮ、１０分ＯＦＦの基本間欠運転を行なう。このときガス検出部５または粉塵検出部７の検出する汚れレベルに対して人検出部６からの検出信号がＨＩＧＨの場合およびＬＯＷの場合のファンモーター４の送風量は図２（ロ）の「検知部ＨＩＧＨ信号時の汚れレベル値に対する運転風量」および図２（ハ）の「人検知部ＬＯＷ信号時の汚れレベル値に対する運転風量」に示す関係としている。
【００７４】
例えば図４（イ）の「記憶される汚れレベル値」および図４（ロ）の「次の日の基本間欠運転」に示すように、２２時から２３時の２０分毎に検出される汚れレベル値は３、２、１となり、次の日の基本間欠運転は運転風量を中（１０分）、０、中（１０分）、０、弱（１０分）、０の１０分間隔の間欠運転となるが、図４（ハ）の「人検出部ＨＩＧＨ検知時の間欠運転」および図４（二）の「人検出部ＬＯＷ検知時の間欠運転」に示すように、室内に人が居ないような人検知部６がＨＩＧＨ信号を検出している場合は、運転風量を弱（１０分）、０、弱（１０分）、０、弱（１０分）、０の１０分間の間欠運転となるようにしており、また室内に人が居るような人検知部６がＬＯＷ信号を検出している場合は、運転風量を強（１０分）、０、強（１０分）、０、中（１０分）、０の１０分間の間欠運転になるようにしており、この基本間欠運転を行なうときも、室内の空気汚れをガス検出部５や粉塵検出部７により検出を行ない、この検出された汚れレベル値に従った風量を、基本間欠運転の風量０区間に加えた実動運転を行なう。
【００７５】
以上のように人検出部６にて検出される信号により、人が居ない場合は運転風量を下げて運転することにより無駄な運転を抑えることができ、人が居る場合は運転風量を上げて運転することにより速く室内を清浄することができる。
【００７６】
また、人検出センサを用いて人の在室状況の検出をおこない汚れレベルに対する規定運転風量を上げたり下げたりしたが、汚れレベルを決定するガス検出部および粉塵検出部の感度を上げたり下げとりすることで運転風量を上げたり下げたりしても良い。
【００７７】
また、人がいない場合を設定にしているが、就寝中のように人が活動しない状況に対しても、その作用効果に差異は生じない。
【００７８】
また、ここでは規定時間を１日の生活パターンが同じであるということで２４時間としているが、使用者の生活パターンによっては１週間にしても、その作用効果に差異は生じない。
【００７９】
また、ここで汚れレベル値を記憶している時間を２０分としたのは、空気清浄機の清浄能力として２０分で空気汚れを清浄できるためであり、たとえば３０分にしてもその作用効果に差異はない。
【００８０】
（実施の形態２）
本実施の形態は前記実施の形態１と制御方法が異なるのみであり、同一構成のものは同一番号を付して詳しい説明は省略する。
【００８１】
図５に示すように、制御部８は記憶した２０分毎の汚れレベル値に対応した風量に対して、人検出部６による検出信号によって運転風量を上げたり下げたりするが、ガス検出部５や粉塵検出部７の検出レベルによって運転風量をさらに上げたり下げたりするものである。
【００８２】
上記構成において、例えば図５（イ）の「記憶される汚れレベル値」および図５（ロ）の「次の日の光検出部ＨＩＧＨの時の基本間欠運転」に示すように２２時から２３時の２０分毎に検出される汚れレベル値は３、２、１となり、次の日の基本間欠運転は運転風量を中（１０分）、０、中（１０分）、０、弱（１０分）、０の１０分間隔の間欠運転となるが、図５（ハ）の「汚れ検出時の間欠運転」に示すように、人がいない場合の運転風量を弱（１０分）、０、弱（１０分）、０、弱（１０分）、０の間欠運転中の２２時４０分に汚れレベル５の汚れを検出すると弱（１０分）、０、中（１０分）、０、強（１０分）、０の間欠運転にするものである。
【００８３】
このように人が居ない場合に突然汚れが発生しても、その汚れレベルに従った風量にて運転するので効率よく汚れを除去する運転をすることができる。
【００８４】
（実施の形態３）
本実施の形態は前記実施の形態１あるいは２と制御方法が異なるのみであり、同一構成のものは同一番号を付して詳しい説明は省略する。
【００８５】
図６に示すように、制御部８は記憶した２０分毎の汚れレベル値に対応した風量に対して、人検出部６により検出された信号を加えて翌日の運転風量を決定するものであり、人検出部６の人検知信号がＬＯＷ検知をしている場合は汚れレベル値を＋１し、ＨＩＧＨ検知している場合は汚れレベル値を−１するようにしている。
【００８６】
上記構成において、例えば図６（イ）の「記憶される汚れレベル値」および図６（ロ）の「記憶される人検知レベル値」に示すように２２時から２３時の２０分毎に検出される汚れレベル値は３、２、１となり、人検知信号がＨ、Ｌ、Ｌの場合は次の日の基本間欠運転の運転風量は図６（ハ）の「翌日の間欠運転」に示すように、前日に人検出信号がある場合は、運転風量を中（１０分）、０、中（１０分）、０、中（１０分）、０の間欠運転となるようにしている。
【００８７】
このように人が居ることを予測して運転させるので、人の活動によって発生する空気汚れに対しても短時間で除去することができる。
【００８８】
（実施の形態４）
本実施の形態は前記実施の形態１あるいは２と制御方法が異なるのみであり、同一構成のものは同一番号を付して詳しい説明は省略する。
【００８９】
図７（イ）の「記憶される汚れレベル値」および図７（ロ）の「次の日の基本間欠運転」および図７（ハ）の「人検出ＨＩＧＨ時の間欠運転」に示すように、朝などの外出時間に人検出部６がＬＯＷレベルからＨＩＧＨレベルに切り替わった場合、前日の汚れレベルから決定された運転風量を１段階上げて運転時間を１０分延ばし、その後は停止するような運転に変更する。
【００９０】
このように、使用者が外出等で居なくなった場合には運転風量を上げて空気汚れを除去し、以後は無駄な運転を減らした省エネ運転とすることができる。
【００９１】
（実施の形態５）
本実施の形態は前記実施の形態１〜３と制御方法が異なるのみであり、同一構成のものは同一番号を付して詳しい説明は省略する。
【００９２】
図８（イ）の「記憶される汚れレベル値」および図８（ロ）の「記憶される人検知時間」および図８（ハ）の「次の日の間欠運転」に示すように人検出部６がＬＯＷレベルを検知した時間を記憶しており、汚れレベルにより決定される翌日の運転風量を、その人検出部６が記憶した運転時間よりも早めに運転するようにしている。
【００９３】
このように、空気汚れが発生する時間よりも以前に運転させることができるので、汚れが広がる前に効率よく汚れを除去することができる。
【００９４】
（実施の形態６）
本実施の形態は前記実施の形態１〜３と制御方法が異なるのみであり、同一構成のものは同一番号を付して詳しい説明は省略する。
【００９５】
また図９に示すように電源が通電されると制御部８は汚れレベル値を記憶するのと同時に２０分間隔で人検出部６で検出した信号を高低レベルとして０〜３の人検知レベル値に変換し、各２０分間の人検出レベル値の最大値を記憶し始め、規定時間としてトータル２４時間分の７２データを時系列に記憶する。この２０分毎の記憶と同時にその間に記憶された空気汚れレベル値を人検知レベル値により増減させて翌日の運転風量を決定する。なお、人検知レベル値による汚れレベル値の増減は、人検知レベル値が０の時は汚れレベル値を−１とし、人検知レベル値が１の時は汚れレベル値を±０とし、人検知レベル値が２の時は汚れレベル値を＋１とし、人検知レベル値が３の時は汚れレベル値を＋２とする。
【００９６】
たとえば図９（イ）の「記憶される汚れレベル値」および図９（ロ）の「記憶される人検知レベル」および図９（ハ）の「次の日の間欠運転」に示すように２２時から２３時の２０分毎に検出される汚れレベル値は３、２、１の場合に、同時に人検出部６が検出した人検知レベル値が３、２、１とすると、翌日の運転風量を決定する汚れレベル値は５、２、１となり翌日の運転は強（１０分）、０、中（１０分）、０、弱（１０分）、０の間欠運転とするものである。
【００９７】
このように、人の存在を予測して運転風量を変えることで、より汚れの発生を想定して運転することができるので効率良く汚れを除去することができる。
【００９８】
また、２２時から２３時の２０分毎に検出される空気汚れレベル値が５、５、５で人検知レベル値が３、３、３の場合には翌日の運転は強（１０分）、０、強（１０分）、０、強（１０分）、０の間欠運転をおこなうが、その強運転中に検出された空気汚れレベルが５で、人検知レベル値が３の場合は運転風量をターボ運転にするものである。
【００９９】
このように空気汚れも最大で人検知レベルも最大の場合は空気汚れ量も増加するため最大風量で運転することで、効率良くさらに迅速に除去することができる。
【０１００】
また、ここでは規定時間として２４時間分のデータを記憶しているが、人検知レベル値から判断して規定時間を変更できるようにしても良い。
【０１０１】
（実施の形態７）
本実施の形態は前記実施の形態１〜３と制御方法が異なるのみであり、同一構成のものは同一番号を付して詳しい説明は省略する。
【０１０２】
図１０に示すのように、電源が通電されると制御部８は汚れレベル値を記憶するのと同時に２０分間隔で人検出部６で検出した信号を高低レベルとして０〜３の人検知レベル値に変換し、各２０分間の人検出レベル値の最大値を記憶し始め、トータル２４時間分の７２データを時系列に記憶する。図１０（イ）は「記憶される汚れレベル値」を示し、図１０（ロ）は「記憶される人検知レベル」を示し、図１０（ハ）は「次の日の間欠運転」を示す図である。
【０１０３】
翌日も同様に２０分間隔で人検知部６で検出した信号を０〜３の人検知レベル値に変換するが、前日の人検知レベル値に対して本日の検出レベル値が増加していれば＋１、減少していれば−１、増減なければ±０とする演算をおこない、その結果を本日の人検知レベル値として記憶する。
【０１０４】
以後同様に毎日の人検出レベル値を元に演算を繰り返していき、予測した人検知レベル値がゼロとなる区間に対して、ガス検出部５および粉塵検出部７により検出された汚れレベル値により予測し決定された運転風量を低下させるようにしたものである。たとえば、空気清浄機の設定風量が弱・中・強・ターボとした場合に、風量強運転設定であっても運転風量を低下させる風量弱運転とする。
【０１０５】
このように、本実施の形態では最低風量の弱運転とすることで人が居ない場合や就寝中のような時間帯には運転風量を低下させることで無駄なエネルギーを消費せず、低騒音で運転することができる。
【０１０６】
また、図１１に示すように、予測した人検知レベル値がゼロとなる区間に対して、ガス検出部５および粉塵検出部７により検出された汚れレベル値により予測し決定された運転風量があっても人がいない可能性が高くまた、汚れが発生する可能性は低いので運転を停止させるようにしたものである。図１１（イ）は「記憶される汚れレベル値」を示し、図１１（ロ）は「記憶される人検知レベル」を示し、図１１（ハ）は「次の日の間欠運転」を示す図である。
【０１０７】
このように、人が居ない場合や就寝中のような時間帯には運転を停止させることで無駄なエネルギーを消費せず、無音となり、省エネルギーで生活パターンに合った運転にすることができる。
【０１０８】
また、予測した人検知レベル値がゼロとなる区間に対して、ガス検出部５および粉塵検出部７の検出感度を低下させることで、少ない汚れで雰囲気では運転しないようにしたものである。
【０１０９】
このように、人が居ない場合や就寝中のような時間帯にはセンサの感度を低下することで運転風量を低下させることができ、無駄なエネルギーを消費せず、低騒音で省エネルギーな運転をすることができる。
【０１１０】
また、規定時間として２４時間分のデータを記憶しているが、その記憶した人検知レベル値から検出データのパターン、使用者の生活パターンを判断して、生活パターンの同じサイクルの時間を規定時間として、規定時間を変更できるようにしたものである。例えば、１日単位で使用者の生活パターンが概略同じであれば、規定時間を２４時間とし、１週間単位で使用者の生活パターンが概略同じであれば、規定時間を１週間とするものである。使用者の生活パターンは、１日単位、あるいは１週間単位、あるいは季節単位で概略同じ場合があり、規定時間を１日、あるいは１週間とするものである。季節単位は、春夏秋冬の３ヶ月毎が考えられる。
【産業上の利用可能性】
【０１１１】
人検知センサを用いて生活パターンを学習することができるので、自動運転ができるエアコンの運転制御にも適用できる。
【図面の簡単な説明】
【０１１２】
【図１】本発明の実施の形態１の空気清浄機の一部破断の外観斜視図
【図２】同各検出部の汚れレベル値に対する運転風量の相関図
【図３】同制御ブロック図
【図４】本発明の実施の形態１のタイミングチャート
【図５】本発明の実施の形態２のタイミングチャート
【図６】本発明の実施の形態３のタイミングチャート
【図７】本発明の実施の形態４のタイミングチャート
【図８】本発明の実施の形態５のタイミングチャート
【図９】本発明の実施の形態６のタイミングチャート
【図１０】本発明の実施の形態７のタイミングチャート
【図１１】同タイミングチャート
【図１２】従来の空気清浄機の一部破断の外観斜視図
【図１３】同空気清浄機の間欠運転のタイミングチャート
【図１４】同各検出部の汚れレベル値に対する運転風量の相関図
【符号の説明】
【０１１３】
１  本体
２  吸気口
３  フィルター（清浄化手段）
４  ファンモーター（送風手段）
５  ガス検出部（汚れ検出手段）
６  人検出部（人検出手段）
７  粉塵検出部（汚れ検出手段）
８  制御部
【図１】
2007130517.tif 000003
【図２】
2007130517.tif 000004
【図３】
2007130517.tif 000005
【図４】
2007130517.tif 000006
【図５】
2007130517.tif 000007
【図６】
2007130517.tif 000008
【図７】
2007130517.tif 000009
【図８】
2007130517.tif 000010
【図９】
2007130517.tif 000011
【図１０】
2007130517.tif 000012
【図１１】
2007130517.tif 000013
【図１２】
2007130517.tif 000014
【図１３】
2007130517.tif 000015
【図１４】
2007130517.tif 000016